(57)【要約】【課題】平面状に折り畳んだ状態から容易に箱形態に組み立て可能な組み立て箱の一次組み立て品を提供する。【解決手段】組み立て箱の一次組み立て品１は、額縁付き組み立て箱を組み立てるためのものである。一次組み立て品１は、第１外側壁２０及び第２外側壁６０の長尺方向の端部同士を連結するように設けられ、底壁１０の角部のうち最も近い角部を起点として斜めに延びる斜め折り目９１で内側に２つ折りされて、第２外側壁６０に一部当接するように配置される複数の連結片９０を備えている。それぞれの連結片９０のうち、斜め折り目９１に対して第２外側壁６０側にある部分が第２外側壁６０に当接した状態で接着されている。それぞれの連結片９０の斜め折り目９１には、底壁１０の角部から斜めに延びる切り込みライン９２が形成されている。【選択図】図４
2020203706.tif 000002
【特許請求の範囲】
【請求項１】
矩形状の底壁と、
該底壁の四辺に第１折り目を介してそれぞれ連結された一対の第１外側壁及び一対の第２外側壁と、
前記一対の第１外側壁の延出端部に、所定の幅を有する二重折り目を介してそれぞれ連結されており、該二重折り目で折り曲げられて前記一対の第１外側壁にそれぞれ対向するように配置される一対の第１内側壁と、
前記一対の第１内側壁の延出端部に第２折り目を介してそれぞれ連結されており、前記第１折り目及び前記第２折り目で折り曲げられて前記底壁にそれぞれ当接するように設けられる一対の第１当接片と、
前記第１外側壁及び前記第２外側壁の長尺方向の端部同士を連結するように設けられ、前記底壁の角部のうち最も近い角部を起点として斜めに延びる斜め折り目で内側に２つ折りされて、前記第２外側壁に一部当接するように配置される複数の連結片と、を備え、
前記一対の第１当接片が前記底壁に当接した状態で接着され、かつ、それぞれの前記連結片のうち、前記斜め折り目に対して前記第２外側壁側にある部分が前記第２外側壁に当接した状態で接着されており、
それぞれの前記連結片のうち、前記斜め折り目又は前記斜め折り目周辺には、前記底壁の角部側から斜めに延びる切り込みラインが形成されていることを特徴とする組み立て箱の一次組み立て品。
【請求項２】
前記切り込みラインは、前記斜め折り目に沿って実線状に延びており、かつ、前記底壁の角部側から前記斜め折り目の中間点を越えて延びていることを特徴とする請求項１に記載の組み立て箱の一次組み立て品。
【請求項３】
前記切り込みラインは、前記一対の第１外側壁が対向する対向方向において、前記底壁の角部側から、前記底壁に接着された前記第１当接片を越えて延びていることを特徴とする請求項２に記載の組み立て箱の一次組み立て品。
【請求項４】
前記第１外側壁及び前記第１内側壁は、前記底壁に対して立ち上がるように傾斜して配置されており、
前記底壁と、前記第１内側壁とがなす傾斜角度をθ（°）と設定したとき、７°≦θ≦５０°であることを特徴とする請求項１乃至３のいずれか１項に記載の組み立て箱の一次組み立て品。
【請求項５】
前記一対の第２外側壁の延出端部に、所定の幅を有する二重折り目を介してそれぞれ連結されており、該二重折り目で折り曲げられたときに、前記一対の第２外側壁にそれぞれ対向するように配置される一対の第２内側壁と、
前記一対の第２内側壁の延出端部に第２折り目を介してそれぞれ連結されており、前記第２折り目で折り曲げられたときに、前記底壁にそれぞれ当接するように設けられる一対の第２当接片と、をさらに備え、
前記第２外側壁及び前記第２内側壁の間にある前記二重折り目には、該二重折り目で折り曲げ易くするための折ぐせが形成されており、
前記第２外側壁及び前記第２内側壁が、前記底壁に対して立ち上がるように傾斜して配置されていることを特徴とする請求項１乃至４のいずれか１項に記載の組み立て箱の一次組み立て品。
【請求項６】
前記二重折り目は、前記第２外側壁との境界線上に形成される外側折り目と、該外側折り目とは所定の幅を空けて設けられ、前記第２内側壁との境界線上に形成される内側折り目と、を有しており、
前記外側折り目、前記内側折り目に対して前記折ぐせが所定の圧力をかけて形成されることで、前記第１外側壁と、前記二重折り目とのなす傾き角度が、前記二重折り目と、前記第２内側壁とのなす傾き角度と同じ又は該傾き角度よりも大きくなっていることを特徴とする請求項５に記載の組み立て箱の一次組み立て品。
【請求項７】
前記第２内側壁及び前記第２当接片の間にある前記第２折り目には、該第２折り目に沿って破線状に延びている第２切り込みラインが形成されていることを特徴とする請求項５又は６に記載の組み立て箱の一次組み立て品。
【請求項８】
前記第１外側壁及び前記第１内側壁の間にある前記二重折り目には、該二重折り目で折り曲げ易くするための折ぐせが形成されていることを特徴とする請求項１乃至７のいずれか１項に記載の組み立て箱の一次組み立て品。
【発明の詳細な説明】
【技術分野】
【０００１】
本発明は、組み立て箱の一次組み立て品に係り、特に、平面状に折り畳んだ状態から箱形態に組み立て可能な組み立て箱の一次組み立て品に関するものである。
【背景技術】
【０００２】
従来、平面状に折り畳んで搬送や保管をすることができ、使用時には全体を組み立てることが可能な組み立て箱（化粧箱）が知られており、例えば、特許文献１、２のような６点貼りの額縁付き組み立て箱や、８点貼りの額縁付き組み立て箱の一次組み立て品が提案されているところである。
【０００３】
特許文献１に記載の組み立て箱の一次組み立て品では、矩形状の底壁と、底壁に連結された一対の第１外側壁及び一対の第２外側壁と、一対の第１外側壁及び一対の第２外側壁に連結された一対の第１内側壁及び一対の第２内側壁と、一対の第１内側壁及び一対の第２内側壁に連結されており、底壁に当接するように設けられた一対の第１当接片及び一対の第２当接片と、第１外側壁及び第２外側壁の長尺方向の端部同士を連結する連結片と、を備えており、一対の第１当接片が底壁に当接した状態で接着され、かつ、それぞれの連結片のうち、斜め折り目に対して第２外側壁側にある部分が第２外側壁に当接した状態で接着されている。
また、当該一次組み立て品を最終組み立てするときに、第１内側壁の長尺方向の端部に設けられた第１係止片（係止フラップ）と、第２内側壁の長尺方向の端部に設けられた第２係止片とが係止される構成となっている。
【先行技術文献】
【特許文献】
【０００４】
【特許文献１】特開平９−２８６４２９号公報
【特許文献２】特開平１１−２４０５３２号公報
【発明の概要】
【発明が解決しようとする課題】
【０００５】
しかしながら、特許文献１、２のような組み立て箱の一次組み立て品において、より容易に箱形態に組み立てることが可能な技術が求められていた。
例えば、一次組み立て品を箱形態に最終組み立てるときには、まず一対の長尺な側壁（長尺な額縁）を立ち上げるところ、一次組み立て品が平面状となっているため、当該側壁を立ち上げる作業が比較的困難になっていた。
【０００６】
本発明は、上記の課題に鑑みてなされたものであり、本発明の目的は、平面状に折り畳んだ状態から容易に箱形態に組み立て可能な組み立て箱の一次組み立て品を提供することにある。
また、本発明の他の目的は、一次組み立て品を最終組み立てするにあたって、一対の側壁（長尺な側壁）を立ち上げる作業が容易な組み立て箱の一次組み立て品を提供することにある。
【課題を解決するための手段】
【０００７】
前記課題は、本発明の組み立て箱の一次組み立て品によれば、矩形状の底壁と、該底壁の四辺に第１折り目を介してそれぞれ連結された一対の第１外側壁及び一対の第２外側壁と、前記一対の第１外側壁の延出端部に、所定の幅を有する二重折り目を介してそれぞれ連結されており、該二重折り目で折り曲げられて前記一対の第１外側壁にそれぞれ対向するように配置される一対の第１内側壁と、前記一対の第１内側壁の延出端部に第２折り目を介してそれぞれ連結されており、前記第１折り目及び前記第２折り目で折り曲げられて前記底壁にそれぞれ当接するように設けられる一対の第１当接片と、前記第１外側壁及び前記第２外側壁の長尺方向の端部同士を連結するように設けられ、前記底壁の角部のうち最も近い角部を起点として斜めに延びる斜め折り目で内側に２つ折りされて、前記第２外側壁に一部当接するように配置される複数の連結片と、を備え、前記一対の第１当接片が前記底壁に当接した状態で接着され、かつ、それぞれの前記連結片のうち、前記斜め折り目に対して前記第２外側壁側にある部分が前記第２外側壁に当接した状態で接着されており、それぞれの前記連結片のうち、前記斜め折り目又は前記斜め折り目周辺には、前記底壁の角部側から斜めに延びる切り込みラインが形成されていること、により解決される。
【０００８】
上記のように、それぞれの連結片のうち、斜め折り目又は斜め折り目周辺には、底壁の角部側から斜めに延びる切り込みラインが形成されているため、より容易に箱形態に組み立て可能な一次組み立て品を実現することができる。
詳しく述べると、それぞれの連結片に切り込みラインが形成されることで、それぞれの連結片が２つ折りされた状態（連結片の一部が立ち上がった状態）となる。そして、それぞれの連結片に支持された第１外側壁が、底壁に対して立ち上がるように傾斜した状態となる。その結果、一対の側壁（一対の長尺な側壁）を立ち上げる作業が容易となり、より容易に箱形態に組み立て可能な一次組み立て品を実現できる。
そのほか、当該切り込みラインが形成されることで、最終組み立て時に底壁の４隅に加わる応力を効率的に分散することができる。その結果、罫線割れや印刷の剥がれを防止し易くなる。
【０００９】
このとき、前記切り込みラインは、前記斜め折り目に沿って実線状に延びており、かつ、前記底壁の角部側から前記斜め折り目の中間点を越えて延びていると良い。
また、前記切り込みラインは、前記一対の第１外側壁が対向する対向方向において、前記底壁の角部側から、前記底壁に接着された前記第１当接片を越えて延びていると良い。
上記構成により、それぞれの連結片に支持された第１外側壁が、底壁に対してより立ち上がるように傾斜した状態となる。その結果、一対の側壁（一対の長尺な側壁）を立ち上げる作業がより容易となる。また、最終組み立て時に底壁の４隅に加わる応力をより効率的に分散することができ、かつ、罫線割れや印刷の剥がれをより防止し易くなる。また、最終組み立て後に、それぞれの外側壁の間に形成される隙間を抑制することができる（目立たなくすることができる）。
【００１０】
このとき、前記第１外側壁及び前記第１内側壁は、前記底壁に対して立ち上がるように傾斜して配置されており、前記底壁と、前記第１内側壁とがなす傾斜角度をθ（°）と設定したとき、７°≦θ≦５０°であると良い。
上記のように、第１外側壁及び第１内側壁で構成される額縁（長尺な額縁）の傾斜角度を設定しておくことで、組み立て箱の一次組み立て品を製造するにあたって、ロットのバラツキを抑えることができる。
【００１１】
このとき、前記一対の第２外側壁の延出端部に、所定の幅を有する二重折り目を介してそれぞれ連結されており、該二重折り目で折り曲げられたときに、前記一対の第２外側壁にそれぞれ対向するように配置される一対の第２内側壁と、前記一対の第２内側壁の延出端部に第２折り目を介してそれぞれ連結されており、前記第２折り目で折り曲げられたときに、前記底壁にそれぞれ当接するように設けられる一対の第２当接片と、をさらに備え、前記第２外側壁及び前記第２内側壁の間にある前記二重折り目には、該二重折り目で折り曲げ易くするための折ぐせが形成されており、前記第２外側壁及び前記第２内側壁が、前記底壁に対して立ち上がるように傾斜して配置されていると良い。
また、前記二重折り目は、前記第２外側壁との境界線上に形成される外側折り目と、該外側折り目とは所定の幅を空けて設けられ、前記第２内側壁との境界線上に形成される内側折り目と、を有しており、前記外側折り目、前記内側折り目に対して前記折ぐせが所定の圧力をかけて形成されることで、前記第１外側壁と、前記二重折り目とのなす傾き角度が、前記二重折り目と、前記第２内側壁とのなす傾き角度と同じ又は該傾き角度よりも大きくなっていると良い。
上記構成により、第２外側壁及び第２内側壁で構成される額縁（短尺な額縁）を立ち上げる作業についても容易になる。
【００１２】
このとき、前記第２内側壁及び前記第２当接片の間にある前記第２折り目には、該第２折り目に沿って破線状に延びている第２切り込みラインが形成されていると良い。
上記構成により、第２外側壁及び第２内側壁で構成される額縁（短尺な額縁）を立ち上げた後に、第２当接片を底壁に当接させて係止する作業が容易になる。すなわち、第２切り込みラインが形成されることで、第２当接片と、底壁とを面合わせし易くなる。
【００１３】
このとき、前記第１外側壁及び前記第１内側壁の間にある前記二重折り目には、該二重折り目で折り曲げ易くするための折ぐせが形成されていると良い。
上記構成により、第１外側壁及び第１内側壁で構成される額縁（長尺な額縁）を立ち上げ易くなる。また、予め折ぐせが形成されているため、当該額縁を精度良く立ち上げることができる。
【発明の効果】
【００１４】
本発明によれば、平面状に折り畳んだ状態からより容易に箱形態に組み立てることが可能な組み立て箱の一次組み立て品を実現することができる。
また、当該一次組み立て品を最終組み立てするにあたって、一対の側壁（長尺な側壁）を立ち上げる作業が容易となる。
【図面の簡単な説明】
【００１５】
【図１】箱形成シートの平面図である。
【図２】一次組み立て品の平面図である。
【図３Ａ】図２の要部拡大図であって、連結片に形成された切り込みラインを示す図である。
【図３Ｂ】切り込みラインの第２実施形態を示す図である。
【図３Ｃ】切り込みラインの第３実施形態を示す図である。
【図４】一次組み立て品の斜視図である。
【図５】最終組み立てした組み立て箱の斜視図である。
【図６】図４のＶＩ−ＶＩ断面図であって、第１外側壁及第１内側壁によって構成される長尺な側壁がやや立ち上がった状態を示す図である。
【図７】図４のＶＩＩ−ＶＩＩ断面図であって、第２外側壁及第２内側壁によって構成される短尺な側壁がやや立ち上がった状態を示す図である。
【図８Ａ】組み立て箱を完成させる手順を説明した図である（第１ステップ）
【図８Ｂ】組み立て箱を完成させる手順を説明した図である（第２ステップ）
【図８Ｃ】組み立て箱を完成させる手順を説明した図である（第３ステップ）
【発明を実施するための形態】
【００１６】
以下、本発明の実施形態について図１−図８を参照して説明する。
本実施形態は、矩形状の底壁と、底壁の四辺に第１折り目を介して連結された一対の第１外側壁及び一対の第２外側壁と、一対の第１外側壁の延出端部に、所定の幅を有する二重折り目を介して連結されており、二重折り目で折り曲げられて一対の第１外側壁にそれぞれ対向するように配置される一対の第１内側壁と、一対の第１内側壁の延出端部に第２折り目を介して連結されており、第１折り目及び第２折り目で折り曲げられて底壁に当接するように設けられる一対の第１当接片と、第１外側壁及び第２外側壁の長尺方向の端部同士を連結するように設けられ、底壁の角部のうち最も近い角部を起点として斜めに延びる斜め折り目で内側に２つ折りされて、第２外側壁に一部当接するように配置される複数の連結片と、を備えており、一対の第１当接片が底壁に当接した状態で接着され、かつ、それぞれの連結片のうち、斜め折り目に対して第２外側壁側にある部分が第２外側壁に当接した状態で接着されており、それぞれの連結片の斜め折り目には、底壁の角部から斜めに延びる切り込みラインが形成されていることを特徴とする組み立て箱の一次組み立て品の発明に関するものである。
【００１７】
本実施形態の一次組み立て品１は、図２−図４に示すように、直方体形状の組み立て箱Ｂの一次組み立て品であって、一枚のブランクシートを打ち抜いて形成した図１に示す箱形成シートＳを一次組み立てすることで形成されている。
一次組み立て品１は、略平面状に折り畳んで搬送や保管をすることができ、実店舗等で使用する際にユーザーが最終組み立てすることで、図５に示す組み立て箱Ｂを完成させることができる。
組み立て箱Ｂは、例えば、お菓子や果物等の贈り物（進物品）を収納するための化粧箱として用いられる６点貼りの額縁付き組み立て紙箱である。
【００１８】
一次組み立て品１は、図１−図４に示すように、矩形状の底壁１０と、底壁１０の短尺方向の両端部となる２辺に第１折り目１１を介してそれぞれ連結された一対の第１外側壁２０と、一対の第１外側壁２０の延出端部に、所定の幅を有する二重折り目３０を介してそれぞれ連結されており、二重折り目３０で折り曲げられて一対の第１外側壁２０にそれぞれ対向する一対の第１内側壁４０と、一対の第１内側壁４０の延出端部に第２折り目４１を介してそれぞれ連結されており、第１折り目１１及び第２折り目４１で折り曲げられて底壁１０にそれぞれ当接する一対の第１当接片５０と、を備えている。
このとき、一対の第１当接片５０は、底壁１０の短尺方向の両端部にそれぞれ当接した状態で略全体にわたって接着されている。
なお、第１外側壁２０、二重折り目３０及び第１内側壁４０が折り曲げられることで、組み立て箱Ｂの長尺な側壁（長尺な額縁）が構成されることになる。
第１折り目１１、二重折り目３０及び第２折り目４１は、組み立て箱Ｂの長尺な額縁を形成するために予め付与されている折り目部分である。
【００１９】
また、一次組み立て品１は、底壁１０の長尺方向の両端部となる２辺に第１折り目１１を介してそれぞれ連結された一対の第２外側壁６０と、一対の第２外側壁６０の延出端部に、所定の幅を有する二重折り目３０を介してそれぞれ連結されており、二重折り目３０で折り曲げられたときに、一対の第２外側壁６０にそれぞれ対向するように配置される一対の第２内側壁７０と、一対の第２内側壁７０の延出端部に第２折り目７１を介してそれぞれ連結されており、第１折り目１１及び第２折り目７１で折り曲げられたときに、底壁１０にそれぞれ当接するように設けられる一対の第２当接片８０と、を備えている。
なお、第２外側壁６０、二重折り目３０及び第２内側壁７０が折り曲げられることで、組み立て箱Ｂの短尺な側壁（短尺な額縁）が構成されることになる。
第１折り目１１、二重折り目３０及び第２折り目７１は、組み立て箱Ｂの短尺な額縁を形成するために予め付与されている折り目部分である。
【００２０】
さらに、一次組み立て品１は、第１外側壁２０及び第２外側壁６０の長尺方向の端部同士を連結するように設けられ、底壁１０の角部のうち最も近い角部を起点として斜めに延びる斜め折り目９１で内側に２つ折りされて、第２外側壁６０に一部当接している複数の連結片９０を備えている。
このとき、それぞれの連結片９０のうち、斜め折り目９１に対して第２外側壁６０側にある部分が、第２外側壁６０の長尺方向の端部に当接した状態で接着されている。
なお、連結片９０は、組み立て箱Ｂを組み立てたときに、長尺な額縁及び短尺な額縁を連結させておくのものである。
斜め折り目９１は、組み立て箱Ｂを組み立てたときに連結片９０を内側に二つ折りするために予め付与されている折り目部分である。
【００２１】
連結片９０は、図２、図３Ａに示すように、底壁１０の複数の角部のうち、最も近い角部を起点として当該角部から離れる方向に向かって斜めに延びている斜め折り目９１と、斜め折り目９１に沿って直線状に延びている切り込みライン９２と、を有している。
斜め折り目９１は、連結片９０の対角線に沿って底壁１０に最も近い端部から、底壁１０から最も遠い端部まで延びている。
なお、連結片９０のうち、底壁１０の角部から最も遠い端部には、底壁１０側に向かって切り欠かれた切り欠き部９３が形成されている。
【００２２】
切り込みライン９２は、斜め折り目９１に沿って実線状に延びており、かつ、底壁１０の角部を起点として斜め折り目９１の中間点を越えて延びている。言い換えれば、切り込みライン９２の長さは、斜め折り目９１の全長の約２／３の長さとなっている。
また、切り込みライン９２は、底壁１０の短尺方向において（一対の第１外側壁２０が対向する対向方向において）、底壁１０の角部を起点として底壁１０に接着された第１当接片５０を越えて延びている。
また、切り込みライン９２は、底壁１０の短尺方向において底壁１０の角部を起点として、第２内側壁７０（第２当接片８０）の長尺方向の両端部のうち、切り込みライン９２側にある端部を越えて延びている。
【００２３】
上記構成において、図４、図６に示すように、第１外側壁２０及び第１内側壁４０は、底壁１０に対してやや立ち上がるように傾斜して配置されている。
詳しく述べると、底壁１０と第１内側壁４０（長尺な側壁）とがなす傾斜角度をθ１（°）と設定したときに、７°≦θ１≦５０°、好ましくは１０°≦θ１≦４０°、より好ましくは１５°≦θ１≦３０°、一層好ましくは２０°≦θ１≦３０°、理想的にはθ１＝２５°となっている。
そのため、組み立て箱Ｂを組み立てるにあたって、第１外側壁２０、二重折り目３０及び第１内側壁４０によって構成される長尺な側壁（長尺な額縁）を立ち上げる作業が容易になる。
また、一次組み立て品１を製造するにあたってロットのバラツキを抑えることができる。
【００２４】
傾斜角度θを設定するためには、紙の材質によっても異なってくるが、特に連結片９０（切り込みライン９２及び切り欠き部９３）の形状、配置、そして一次組み立て品１の製造のときに第１外側壁２０（第１内側壁４０）を底壁１０側に向かって押し付ける圧力の加え方によって調整することができる。
詳しく述べると、通常、所定の圧力を加えて第１外側壁２０（第１内側壁４０）を底壁１０側に向かって押し付けるときには、公知な圧縮ベルト（圧着ベルト）を用いて第１外側壁２０の面全体にわたって圧力をかけることになる。一方で、本実施形態の一次組み立て品１においては、第１外側壁２０の部分的な面に圧力をかけている。詳しく述べると、第１外側壁２０のうち、第１当接片５０に対応（対向）する面に圧力をかけている。
そのようにすることで、一次組み立て品１では、従来のものと比較して、第１外側壁２０及び第１内側壁４０が底壁１０に対してやや立ち上がるように傾斜する形になる。
【００２５】
また上記構成において、図４、図７に示すように、第２外側壁６０及び第２内側壁７０の間にある二重折り目３０には、当該二重折り目３０で折り曲げ易くするための折ぐせ３１が形成されている。そして、第２外側壁６０及び第２内側壁７０が、底壁１０に対してやや立ち上がるように傾斜して配置されている。
詳しく述べると、二重折り目３０は、第２外側壁６０との境界線上に形成される外側折り目３０ａと、外側折り目３０ａとは所定の幅を空けて設けられ、第２内側壁７０との境界線上に形成される内側折り目３０ｂと、外側折り目３０ａ及び内側折り目３０ｂの間に設けられる中間壁３０ｃと、を有している。
そして、外側折り目３０ａ、内側折り目３０ｂに対して折ぐせ３１が所定の圧力をかけて形成されることで、第２外側壁６０と二重折り目３０とのなす傾き角度θ２（°）が、二重折り目３０と第２内側壁７０とのなす傾き角度θ３（°）と同じ又は傾き角度θ３よりも大きくなっている。
より詳しく述べると、１４５°≦θ２≦１７５°かつ１４０°≦θ３≦１７０°、好ましくは１５０°≦θ２≦１７０°かつ１４５°≦θ３≦１６５°、より好ましくは１６０°≦θ２≦１７０°かつ１５５°≦θ３≦１６５°、理想的にはθ２＝１６５°、θ３＝１６０°となっている。
そのため、組み立て箱Ｂを組み立てるにあたって、第２外側壁６０、二重折り目３０及び第２内側壁７０によって構成される短尺な側壁（短尺な額縁）を立ち上げる作業についても容易になる。
【００２６】
また上記構成において、図２に示すように、第２内側壁７０及び第２当接片８０の間にある第２折り目７１には、当該第２折り目７１に沿って破線状に延びている第２切り込みライン７２が形成されている。
詳しく述べると、第２切り込みライン７２は、所定の間隔（例えば、約５ｍｍの間隔）を空けて形成されており、それぞれの第２切り込みラインの長さは約１０ｍｍとなるように設定されている。
上記切り込みライン７２が形成されることで、組み立て箱Ｂを組み立てるにあたって、第２外側壁６０及び第２内側壁７０で構成される短尺な側壁（短尺な額縁）を立ち上げた後に、第２当接片８０を底壁１０に当接させて係止する作業が容易になる。
なお、切り込みライン７２を形成する代わりに予め折ぐせを付与しておく構成も考えられるが、一次組み立て品１の製造において切り込みライン７２を付与する方が複雑な製造装置を必要とせず、製造コストを抑えることができる。
【００２７】
また上記構成において、図２に示すように、第１外側壁２０及び第１内側壁４０の間にある二重折り目３０（外側折り目３０ａ、内側折り目３０ｂ）についても、当該二重折り目３０で折り曲げ易くするための折ぐせ３１が形成されている。
そのため、第１外側壁２０、二重折り目３０及び第１内側壁４０で構成される長尺な側壁（長尺な額縁）を立ち上げ易くなる。予め折ぐせ３１が形成されているため、当該額縁を精度良く立ち上げることができる。
【００２８】
次に、一次組み立て品１から組み立て箱Ｂを完成させる手順について図８Ａ−図８Ｃに基づいて説明する。
まず第１ステップとして、図８Ａに示すように、一次組み立て品１において一対の第１外側壁２０及び一対の第１内側壁４０で構成される「一対の長尺な側壁部分（長尺な額縁部分）」をそれぞれ指で掴んで、箱の内側から外側に向かって立ち上げる作業を行う。
このとき、図６に示すように、第１外側壁２０及び第１内側壁４０は、底壁１０に対してやや立ち上がるように傾斜して配置されているため、指で掴み易い構成となっている。
【００２９】
そして第２ステップとして、図８Ｂに示すように、一対の長尺な側壁部分を立ち上げた後、一対の第２外側壁６０及び一対の第２内側壁７０で構成される「一対の短尺な側壁部分（短尺な額縁部分）」をそれぞれ指で掴んで、箱の外側から内側に向かって立ち上げる作業を行う。
このとき、図７に示すように、第２外側壁６０及び第２内側壁７０が、底壁１０に対してやや立ち上がるように傾斜して配置されているため、短尺な側壁部分においても指で掴み易い構成となっている。
【００３０】
最後に第３ステップとして、図８Ｃに示すように、一対の短尺な側壁部分を立ち上げた後、当該一対の短尺な側壁部分に設けられた一対の第２当接片８０を底壁１０に向かって親指で押し当てる作業を行う。
このとき、図２に示すように、第２内側壁７０及び第２当接片８０の間にある第２折り目７１には、第２切り込みライン７２が形成されているため、第２当接片８０を底壁１０に当接させて係止する作業が容易になる。すなわち、第２当接片８０の面と、底壁１０の面とを合わせ易くなる。
【００３１】
上記３ステップによって、一次組み立て品１から組み立て箱Ｂを容易に完成させることができる。
なお、当該組み立て作業に慣れたユーザーであれば、第１ステップを省略して第２ステップ及び第３ステップの２ステップによって組み立て箱Ｂを完成させることも可能である。
本実施形態の一次組み立て品１であれば、第２ステップにて「一対の短尺な側壁部分」を立ち上げる作業を行ったときに、同時に「一対の長尺な側壁部分」も同時に立ち上がる構成となっているからである。
すなわち、第１外側壁２０及び第１内側壁４０で構成される「一対の長尺な側壁部分」が、底壁１０に対してやや立ち上がるように傾斜しており、かつ、底壁１０と第１内側壁４０とがなす傾斜角度θ１（°）が予め設定されているからである。
【００３２】
なお、図２に示すように、上記方法で一次組み立て品１を最終組み立てするときに、第１内側壁４０の長尺方向の端部に設けられた係止フラップ部４０ａと、第２内側壁７０の長尺方向の端部に設けられた係止片部７０ａとが係止される構成となっている。
そのため、最終組み立て作業がし易いだけでなく、組み立て後の組み立て箱Ｂの安定性を確保することができる。
【００３３】
＜その他の実施形態＞
上記実施形態において、図２に示すように、一次組み立て品１は、６点貼りの額縁付き組み立て箱Ｂを組み立てるためのものであるが、特に限定されることなく８点貼りの額縁付き組み立て箱Ｂを組み立てるもの等であっても良い。
また、組み立て箱Ｂは、身箱又は蓋箱として用いられるが、身箱及び蓋箱が一体となった一体型の箱として用いられるものであっても良い。または、身箱又は蓋箱に段が設けられた段付き箱等として用いられるものであっても良い。
また、組み立て箱Ｂは紙箱であるが、特に限定されることなく、紙箱以外の段ボール箱等であっても良い。なお、組み立て箱が段ボール素材である場合には、段ボールの種類がＧ段、Ｆ段又はＥ段のほか、比較的薄い段ボールを含むものであると好ましい。
【００３４】
上記実施形態において、一次組み立て品１によって組み立てられる組み立て箱Ｂは紙箱であるが、特に限定されることなく、紙箱以外の段ボール箱等であっても良い。
なお、一次組み立て品１が段ボール素材である場合には、好ましくは段ボールの種類がＧ段、Ｆ段又はＥ段であると良い。
【００３５】
上記実施形態において、図３Ａに示すように、切り込みライン９２は、斜め折り目９１に沿って実線状に延びており、かつ、底壁１０の角部を起点として斜め折り目９１の中間点を越えて延びているが特に限定されることなく変更可能である。
例えば、図３Ｂに示すように、切り込みライン１９２が、底壁１０の角部を起点として斜め折り目１９１の中間点を越えないように延びていても良い。すなわち、切り込みライン１９２の長さが約１０ｍｍ程度であっても良い。
また例えば、図３Ｃに示すように、切り込みライン９２は、斜め折り目９１の周辺に形成されていても良い。切り込みライン９２は、略円弧状の実線ラインであって、連結片９０の中央部分に形成されている。詳しく述べると、切り込みライン９２は、連結片９０の中央部分において斜め折り目９１に対して第１外側壁２０側に膨らむように形成されている。
そのほか、切り込みライン９２が、斜め折り目９１に沿って所定の間隔を空けて複数形成されていても良いし、斜め折り目９１の周辺部分において複数形成されていても良い。
【００３６】
上記実施形態では、主として本発明に係る組み立て箱の一次組み立て品に関して説明した。
ただし、上記の実施形態は、本発明の理解を容易にするための一例に過ぎず、本発明を限定するものではない。本発明は、その趣旨を逸脱することなく、変更、改良され得ると共に、本発明にはその等価物が含まれることは勿論である。
【符号の説明】
【００３７】
Ｂ  組み立て箱
Ｓ  箱形成シート
１  一次組み立て品（組み立て箱の一次組み立て品）
１０  底壁
１１  第１折り目
２０  第１外側壁
３０  二重折り目
３０ａ  外側折り目
３０ｂ  内側折り目
３０ｃ  中間壁
３１  折ぐせ
４０  第１内側壁
４０ａ  係止フラップ部
４１  第２折り目
５０  第１当接片
６０  第２外側壁
７０  第２内側壁
７０ａ  係止片部
７１  第２折り目
７２  第２切り込みライン
８０  第２当接片
９０，１９０，２９０  連結片
９１，１９１，２９１  斜め折り目
９２，１９２，２９２切り込みライン
９３  切り欠き部
θ１  傾斜角度
θ２  傾き角度
θ３  傾き角度
【図１】
2020203706.tif 000003
【図２】
2020203706.tif 000004
【図３Ａ】
2020203706.tif 000005
【図３Ｂ】
2020203706.tif 000006
【図３Ｃ】
2020203706.tif 000007
【図４】
2020203706.tif 000008
【図５】
2020203706.tif 000009
【図６】
2020203706.tif 000010
【図７】
2020203706.tif 000011
【図８Ａ】
2020203706.tif 000012
【図８Ｂ】
2020203706.tif 000013
【図８Ｃ】
2020203706.tif 000014